(57)【要約】【課題】幼い子供でも楽しく容易にパズル遊びをすることができるパズル玩具を提供する。【解決手段】パズル玩具１は、筐体本体１０と、筐体本体１０に設けられるパズル軸４０と、を有する。パズル軸４０は、軸と駒体３０を備える。軸は、軸心回りを固定して設けられる。駒体３０は、軸とラチェット機構を介して軸の軸心回りに回転可能に軸の軸心方向に沿って複数設けられて、軸の軸心回りの外周面にパズル図柄が形成される。そして、ラチェット機構は、軸の外周に形成されるラチェット歯と、駒体に弾性部を介して設けられるラチェット歯と、により形成される。【選択図】    図１
2018153568.tif 000002
【特許請求の範囲】
【請求項１】
筐体本体と、
前記筐体本体に設けられるパズル軸と、
を有し、
前記パズル軸は、
軸心回りを固定して設けられる軸と、
前記軸とラチェット機構を介して前記軸の軸心回りに回転可能に前記軸の軸心方向に沿って複数設けられて、前記軸の軸心回りの外周面にパズル図柄が形成される駒体と、
を有することを特徴とするパズル玩具。
【請求項２】
前記ラチェット機構は、
前記軸の外周に形成されるラチェット歯と、
前記駒体に弾性部を介して設けられるラチェット爪と、
を有することを特徴とする請求項１に記載のパズル玩具。
【請求項３】
前記パズル軸は、前記軸が平行となるように複数設けられ、
前記筐体本体は、前記パズル軸の一部が前記軸の軸心方向に対して直交する方向に移動するパズル軸移動手段を備えることを特徴とする請求項１又は請求項２に記載のパズル玩具。
【請求項４】
前記パズル軸は、前記軸の軸心が同一平面に配置されるよう３本設けられ、
前記パズル軸移動手段は、把持部を備え、３本の前記パズル軸のうち外側の２本の前記パズル軸と連結され、
中央の前記パズル軸の前記軸は固定して設けられることを特徴とする請求項３に記載のパズル玩具。
【発明の詳細な説明】
【技術分野】
【０００１】
本発明は、パズル図柄を備えて軸に回転可能に複数設けられる駒体を備えるパズル玩具に関する。
【背景技術】
【０００２】
従来から、パズル図柄を備えて軸に回転可能に複数設けられる駒体を回してパズル遊びを行うことができるパズル玩具が開示される。特許文献１に開示されるパズル玩具は、６面体とされる３個の駒体を備える基台が３個設けられ、基台は横方向に摺動可能に設けられる。そして、基台を横方向に移動させると、駒体が回転可能とされて、パズル遊びをすることができる。
【先行技術文献】
【特許文献】
【０００３】
【特許文献１】特開平６−１９０１４３号公報
【発明の概要】
【発明が解決しようとする課題】
【０００４】
特許文献１で開示されるパズル玩具では、基台が横方向に移動した際の駒体の回転を連続的に行うことができる。従って、パズル図柄を合わせるパズル遊びの際、特に幼い子供にとっては、駒体の回転方向の位置決めがうまくできず、パズル遊びの面白みが低減してしまうことがあった。
【０００５】
本発明の目的は、幼い子供でも楽しく容易にパズル遊びをすることができるパズル玩具を提供する。
【課題を解決するための手段】
【０００６】
本発明に係るパズル玩具は、筐体本体と、前記筐体本体に設けられるパズル軸と、を有し、前記パズル軸は、軸心回りを固定して設けられる軸と、前記軸とラチェット機構を介して前記軸の軸心回りに回転可能に前記軸の軸心方向に沿って複数設けられて、前記軸の軸心回りの外周面にパズル図柄が形成される駒体と、を有する。
【発明の効果】
【０００７】
本発明によれば、駒体の位置合わせを容易に行うことができるので、幼い子供であっても楽しく容易にパズル遊びをすることができる。
【図面の簡単な説明】
【０００８】
【図１】本発明の実施形態に係るパズル玩具の正面側斜視図である。
【図２】本発明の実施形態に係るパズル玩具の背面側斜視図である。
【図３】本発明の実施形態に係るパズル玩具の把持部をスライドさせて、複数の駒体のうちいくつかの駒体を回転させた状態を示す正面側斜視図である。
【図４】本発明の実施形態に係るパズル玩具の把持部をスライドさせて、複数の駒体のうちいくつかの駒体を回転させた状態において、筐体本体の正面側上カバー及び正面側下カバーを外した状態を示す正面側斜視図である。
【図５】本発明の実施形態に係るパズル玩具の把持部をスライドさせて、複数の駒体のうちいくつかの駒体を回転させた状態において、筐体本体の背面側上カバー及び背面側下カバーを外した状態を示す背面側斜視図である。
【図６】本発明の実施形態に係るパズル玩具の左側の軸部材及び軸支持部材を示す斜視図である。
【図７】本発明の実施形態に係るパズル玩具の駒体の斜視図であり、（ａ）は上方側から見た図であり、（ｂ）は下方側から見た図である。
【図８】本発明の実施形態に係るパズル玩具の図３のＶＩＩＩ−ＶＩＩＩ断面図である。
【発明を実施するための形態】
【０００９】
以下に本発明の実施形態を図に基づいて説明する。図１及び図２に示すように、パズル玩具１は、筐体本体１０と、複数の駒体３０を備える。パズル玩具１は、左手で左把持部２１ａを握り、右手で右把持部２１ｂを握って、矢印２２ａ，２２ｂが示す筐体本体１０の外方向に引っ張ることにより、図３に示すように駒体３０を回転させて、パズル遊びを行うことができる。このパズル遊びは、例えば、各駒体３０の図柄を全て同じ図柄に揃えたり、全ての駒体３０で一つの図柄を形成したりする遊びとされる。パズルの完成後は、左右の把持部２１ａ，２１ｂを閉じて図１の状態に戻すことで、駒体３０の回転を規制することができる。なお、以下の説明においては、矢印２２ａ，２２ｂが設けられる側を正面（又は前）とし、その反対側を背面（又は後）とし、正面に向かって左側を左、右側を右とし、図１の状態における上側を上、下側を下とする。
【００１０】
筐体本体１０は、上側縁及び左右縁を凸円弧状に形成し、下側縁が略直線状に形成されて、上下縁と左右縁の接続部は角Ｒ状に形成される。筐体本体１０の上側及び下側は、正面側と背面側で分割される正面側上カバー１１、正面側下カバー１３と背面側上カバー１２、背面側下カバー１４が接合されて形成される。正面側上カバー１１と背面側上カバー１２の凸円弧状とされる縁部の上端部近傍には、正面側上カバー１１と背面側上カバー１２を貫通する穴部１５が形成される。穴部１５の正面側及び背面側は、それぞれ下方に向けて凸とされる円弧状の凹部１１ａ，１２ａが、それぞれ正面側上カバー１１と背面側上カバー１２に形成され連通される。正面側上カバー１１の正面には、左右に長く中央が膨出される横長凹部１１ｆが形成される。一方、正面側下カバー１３と背面側下カバー１４とが接合された下端部には平坦面１８が形成され（図２参照）、パズル玩具１を立てて机上等に載置することができる。
【００１１】
図４に示すように、背面側上カバー１２は、略シェル状に形成される。背面側上カバー１２の内部には、左右方向の中央に円筒形状の軸受部１２ｂが、軸心が前後方向となるよう設けられる。軸受部１２ｂの左右には、背面からねじ１６が取り付けられる深ザグリ部１２ｃが形成される。この深ザグリ部１２ｃが形成される部位は、背面側上カバー１２の内部においては、軸心が前後方向となる円筒状とされる。そして、背面側上カバー１２の内部には、左右の縁部から、それぞれ軸受部１２ｂに向けて平板状のガイド板１２ｄが形成される。各ガイド板１２ｄは、深ザグリ部１２ｃの下側の一部と重なって接合されるように設けられる。
【００１２】
背面側上カバー１２のガイド板１２ｄの下側には、所定の間隔を隔てて底板１２ｅが形成される。背面側上カバー１２の底板１２ｅには、後述する左右のパズル軸移動部材２０のスライド板２３の支持基部２４の左右方向のスライド移動をガイド及び規制する切欠き部１２ｅ１と、後述するパズル軸４０の左軸４１ａ及び右軸４２ａを支持する平板部４１ｂ１，４５ｂ１の左右方向のスライド移動をガイド及び規制する切欠き部１２ｅ２が形成される。
【００１３】
正面側上カバー１１も背面側上カバー１２と同様にシェル状に形成される。正面側上カバー１１の内部には、左右方向の中央に円筒状の挿入軸１１ｂが形成される。挿入軸１１ｂは、背面側上カバー１２の軸受部１２ｂ内に挿入される。また、背面側上カバー１２の深ザグリ部１２ｃに対応する位置には、ねじ１６が固定されるねじ穴ボス１１ｃが形成される。そして、正面側上カバー１１の内部には、背面側上カバー１２のガイド板１２ｄ、底板１２ｅ、切欠き部１２ｅ１，１２ｅ２と対応するように、ガイド板１１ｄ、底板１１ｅ、切欠き部１１ｅ１，１１ｅ２が形成される。
【００１４】
さらに、背面側下カバー１４もシェル状に形成され、その内部には、背面側上カバー１２の軸受部１２ｂ、深ザグリ部１２ｃ、ガイド板１２ｄ、底板１２ｅ、切欠き部１２ｅ１，１２ｅ２と同様の形態の軸受部１４ｂ、深ザグリ部１４ｃ、ガイド板１４ｄ、底板１４ｅ、切欠き部１４ｅ１，１４ｅ２が形成される。またさらに同様に、シェル状に形成される正面側下カバー１３の内部には、正面側上カバー１１のねじ穴ボス１１ｃ、ガイド板１１ｄ、底板１１ｅ、切欠き部１１ｅ１，１１ｅ２と同様の形態のねじ穴ボス１３ｃ、ガイド板１３ｄ、底板１３ｅ、切欠き部１３ｅ１，１３ｅ２が形成される。
【００１５】
筐体本体１０の左右両側には、パズル軸移動部材２０がそれぞれ配置される。パズル軸移動部材２０は、後に詳説する３本のパズル軸４０のうち左側のパズル軸４０を左方向に、右側のパズル軸４０を右方向に移動させるためのパズル軸移動手段とされるものである。パズル軸移動部材２０の移動部材本体２１は、略シェル状とされて、背面側には大きな空間部が形成される。そして、移動部材本体２１は把持部（左把持部２１ａ、右把持部２１ｂ）とされる。なお、把持部（左把持部２１ａ、右把持部２１ｂ）には、滑り止めとされる凹状の長凹部２１ａ１，２１ｂ１が複数設けられるとともに、凹状に形成される矢印２２ａ，２２ｂが形成される。なお、移動部材本体２１の正面側には、上下方向に長く中央が膨らむ指掛け凹部２１ａ２，２１ｂ２が設けられる。使用者が把持部（左把持部２１ａ、右把持部２１ｂ）を把持すると、親指以外の４本の指が移動部材本体２１の背面側の空間に挿入することができ、親指はこの指掛け凹部２１ａ２，２１ｂ２に引っ掛けて、確実にパズル軸移動部材２０の把持と移動を行うことができる。
【００１６】
パズル軸移動部材２０の上下の端部は平坦に形成される。この上下の平坦面には、ブロック状の支持基部２４が形成される。そして、支持基部２４の端部には、支持基部２４から内方向にスライド板２３が延設される。スライド板２３は、平板状に形成されて、正面側上カバー１１、背面側上カバー１２、及び、正面側下カバー１３、背面側下カバー１４におけるガイド板１１ｄ，１２ｄ，１３ｄ，１４ｄと底板１１ｅ，１２ｅ，１３ｅ，１４ｅとの間に左右方向に摺動自在に配置される。そして、各支持基部２４は、底板１１ｅ，１２ｅ，１３ｅ，１４ｅの切欠き部１１ｅ１，１２ｅ１，１３ｅ１，１４ｅ１によりガイドされるとともに、切欠き部１１ｅ１，１２ｅ１，１３ｅ１，１４ｅ１の端部により、左右の移動限が規定される。そして、スライド板２３には、切欠き部２３ａが形成されて、係合挿入部２３ｂが形成される。
【００１７】
筐体本体１０には、パズル軸４０が３本設けられる。パズル軸４０には、３つの駒体３０と、軸（左軸４１ａ、右軸４２ａ、中央軸４３ａ）を備える軸部材４１，４２，４３と、軸支持部材４４，４５，４６が設けられる。図６には、左側の軸部材４１及び軸支持部材４４が示される。軸部材４１は、上下方向に長い長尺状の左軸４１ａと、左軸４１ａの一方側の端部である上側端部に軸スライド板部４１ｂとが固定されて形成される。左軸４１ａには、図８にも示されるように、外周にラチェット歯４１ａ１が形成される。ラチェット歯４１ａ１は、８枚歯とされる。左軸４１ａの他方側の端部である下側端部には、略四角形状の固定部４１ａ２が形成される。
【００１８】
軸スライド板部４１ｂは、一方側である左側の端部近傍に左軸４１ａが固定されるよう左右方向にやや長い略平板状の平板部４１ｂ１が形成される。平板部４１ｂ１には、外側の上面であって、他方側である右側の端部に、門形に突出する係合穴部４１ｂ２が形成される。なお、係合穴部４１ｂ２に対応する軸スライド板部４１ｂの平板部４１ｂ１には、射出成型時に係合穴部４１ｂ２を形成するための穴４１ｂ３が形成される。
【００１９】
軸支持部材４４は、軸スライド板部４１ｂとほぼ同様の形状とされる。すなわち、軸支持部材４４は、軸スライド板部４１ｂの平板部４１ｂ１，係合穴部４１ｂ２，穴４４ｂ３と同様の形状の平板部４４ｂ１、係合穴部４４ｂ２、穴４４ｂ３が形成される。そして、軸支持部材４４の平板部４４ｂ１の内側である上面であって、一方側である左側の端部近傍には、左軸４１ａの固定部４１ａ２が挿入される固定穴４４ａ１が形成されるボス４４ａが設けられる。
【００２０】
図４及び図５に示されるように、左側の軸部材４１、軸支持部材４４と右側の軸部材４２、軸支持部材４５は、同一形状とされ、右側の軸部材４２、軸支持部材４５は、左側の軸部材４１、軸支持部材４４に対して上下が反対に設けられる。ここで、図４においては、右側の軸部材４２、軸支持部材４５における、左側の軸部材４１、軸支持部材４４の平板部４１ｂ１，４４ｂ１及び係合穴部４１ｂ２，４４ｂ２と同様の部位については、平板部４２ｂ１，４５ｂ１及び係合穴部４２ｂ２，４５ｂ２として符号を付して示す。各係合穴部４１ｂ２，４４ｂ２，４２ｂ２，４５ｂ２には、パズル軸移動部材２０のスライド板２３における係合挿入部２３ｂがそれぞれ挿入され係合される。そして、平板部４１ｂ１，４４ｂ１，４２ｂ１，４５ｂ１は、それぞれ、正面側上カバー１１、背面側上カバー１２、及び、正面側下カバー１３、背面側下カバー１４におけるガイド板１１ｄ，１２ｄ，１３ｄ，１４ｄと底板１１ｅ，１２ｅ，１３ｅ，１４ｅとの間に左右方向に摺動自在に配置される。そして、平板部４１ｂ１，４４ｂ１，４２ｂ１，４５ｂ１は、それぞれ、底板１１ｅ，１２ｅ，１３ｅ，１４ｅの切欠き部１１ｅ２，１２ｅ２，１３ｅ２，１４ｅ２によりガイドされるとともに、切欠き部１１ｅ２，１２ｅ２，１３ｅ２，１４ｅ２の端部により、左右の移動限が規定される。このようにして、パズル軸移動部材２０は、左右の外側２本のパズル軸４０と連結される。なお、パズル軸移動部材２０の支持基部２４の横移動ストロークと、平板部４１ｂ１，４４ｂ１，４２ｂ１，４５ｂ１の横移動ストロークは同一に設定される。このストローク量は、後述するが、パズル軸移動部材２０が左右の開限まで移動した際に駒体３０が回転可能な程度に設定される。
【００２１】
更に、図４に示すように、中央の軸部材４３の中央軸４３ａは、左軸４１ａ、右軸４２ａと同じ形状とされる。中央軸４３ａの一方端である上端には、軸固定部４３ｂが形成される。軸固定部４３ｂは、門形に形成されて、正面側上カバー１１の挿入軸１１ｂが挿入される。一方、中央軸４３ａの下方側には、軸支持部材４６が嵌め込まれて固定される。軸支持部材４６の他方側である下方側には、二股状の固定部４６ｂが形成される。固定部４６ｂの二股状の部位には、正面側下カバー１３の挿入軸１３ｂが挿入される。このようにして、中央の軸部材４３及び中央軸４３ａは、筐体本体１０に対して固定される。
【００２２】
このようにして、軸（左軸４１ａ、右軸４２ａ、中央軸４３ａ）は、筐体本体１０に上下方向に互いに平行に、３本の軸の軸心が同一平面となるよう設けられる。従って、軸（左軸４１ａ、右軸４２ａ、中央軸４３ａ）は、筐体本体１０に対して軸心回りを固定して設けられる。そして、軸部材４１，４２（すなわち左右のパズル軸４０）は、パズル軸移動部材２０により、軸（左軸４１ａ、右軸４２ａ、中央軸４３ａ）の軸心方向に対して直交する方向である左右方向に移動可能とされている。
【００２３】
図７（ａ），（ｂ）には、駒体３０が示される。駒体３０は、略四角筒状の駒本体３０ａを備える。従って、駒本体３０ａの外周面には、４つの平坦面とされるパズル図柄面３０ａ１が形成される。駒本体３０ａの一方端側である上端近傍には、駒本体３０ａの軸心に対して直交するように、駒本体３０ａの内周面と接続される略板状の板部３０ｂが形成される。駒本体３０ａの軸心周りには、板部３０ｂの下面と接続されて、略円筒形状に下方に延びる軸受部３０ｃが形成される。軸受部３０ｃは、後述のラチェット爪３０ｄ３と対向する部位が軸受部３０ｃの軸方向に切り欠かれている。軸受部３０ｃは、駒本体３０ａの他方端である下端まで延設される。軸受部３０ｃの外周側である駒本体３０ａの内側には、爪支持部３０ｄが形成される。爪支持部３０ｄは、円弧状に形成される弾性部３０ｄ１と、この弾性部３０ｄ１の一方端と駒本体３０ａの内面角部と接続される接続部３０ｄ２と、弾性部３０ｄ１の他方端から軸受部３０ｃに向けて突出するラチェット爪３０ｄ３とが設けられる。このように形成される爪支持部３０ｄは、駒本体３０ａの下端まで延設される。
【００２４】
図７（ａ），（ｂ）に二点鎖線で示すように、駒本体３０ａの外周面の平坦なパズル図柄面３０ａ１には、動物やキャラクタ等の図柄とされるパズル図柄３０ａ２が形成される。なお、パズル図柄３０ａ２は、印刷により形成しても良いし、射出成形による場合には型彫りにより形状として形成することもできる。
【００２５】
このように形成される駒体３０は、軸部材４１，４２，４３の各軸（左軸４１ａ、右軸４２ａ、中央軸４３ａ）を軸受部３０ｃに挿通させて、各軸（左軸４１ａ、右軸４２ａ、中央軸４３ａ）の軸心Ｐ（図８参照）に沿って３個ずつ配置される。このとき、駒体３０は、ラチェット歯４１ａ１，４２ａ１，４３ａ１とラチェット爪３０ｄ３とで形成されるラチェット機構７０を介して軸（左軸４１ａ、右軸４２ａ、中央軸４３ａ）の軸心Ｐ周りに回転可能に設けられることとなる。なお、駒体３０の軸（左軸４１ａ、右軸４２ａ、中央軸４３ａ）の軸心Ｐ方向における移動は、上側の駒体３０の上端縁が正面側上カバー１１及び背面側上カバー１２の下端縁部に当接することで上方への移動が規制され、下側の駒体３０の下端縁が正面側下カバー１３及び背面側下カバー１４の上端縁部に当接することで下方への移動が規制されている。
【００２６】
このようにして形成されるパズル玩具１は、以下のようにして遊ぶことができる。図１に示すように、左右のパズル軸移動部材２０が閉じている状態から、左右の把持部２１ａ，２１ｂを握って矢印２２ａ，２２ｂの方向である左右の外側方向にパズル軸移動部材２０を引っ張り、パズル軸移動部材２０の移動限まで移動させると、パズル軸移動部材２０と共に、左側のパズル軸４０が左方に移動し、右側のパズル軸４０は右方に移動する。
【００２７】
パズル軸移動部材２０が左右の外方向の移動限まで移動したとき、図８に示すように、駒体３０は、左右方向に隣り合う一方の駒体３０のパズル図柄面３０ａ１が正面（背面）を向いている状態で、他方の駒体３０が回転可能とされている。具体的には、図８に示される上段の３つの駒体３０のうち、中央の駒体３０のパズル図柄面３０ａ１が正面側に向いている状態で、左右両側の駒体３０が回転可能とされている。中段の３つの駒体３０においては、左右の駒体３０のパズル図柄面３０ａ１が正面側に向いている状態で、中央の駒体３０が回転可能とされている。
【００２８】
そして、駒体３０とパズル軸４０の軸（左軸４１ａ、右軸４２ａ、中央軸４３ａ）はラチェット係合されているので、駒体３０は、所定の角度毎に位置決めされて回転させることができる。本実施形態では、４５度ずつ回転させることができる。従って、幼い子供であっても、駒体３０の回転方向の位置決めを容易にすることができるので、パズル図柄３０ａ２の絵合わせ等のパズル遊びを一層楽しんで行うことができる。
【００２９】
そして、全ての駒体３０のパズル図柄面３０ａ１を正面側に向けて駒体３０の回転操作が終了したら、左右の把持部２１ａ，２１ｂを握って矢印２２ａ，２２ｂと反対方向の内側方向にパズル軸移動部材２０を閉じると、図１の状態となり、駒体３０は回転不能となる。
【００３０】
以上、本発明の実施形態を説明したが、本発明は本実施形態によって限定されることはなく、種々の態様で実施することができる。例えば、駒体３０は、平坦面とされるパズル図柄面３０ａ１を４面備えるものとしたが、これに限られず、球状や多数のパズル図柄面３０ａ１を備えるものとしても良い。また、パズル軸４０は、本実施形態においては３つが設けられるが、１以上のパズル軸４０により本発明を実施することができる。
【符号の説明】
【００３１】
１        パズル玩具                  １０      筐体本体
１１      正面側上カバー              １１ａ    凹部
１１ｂ    挿入軸                      １１ｃ    ねじ穴ボス
１１ｄ    ガイド板                    １１ｅ    底板
１１ｅ１  切欠き部                    １１ｅ２  切欠き部
１１ｆ    横長凹部                    １２      背面側上カバー
１２ａ    凹部                        １２ｂ    軸受部
１２ｃ    深ザグリ部                  １２ｄ    ガイド板
１２ｅ    底板                        １２ｅ１  切欠き部
１２ｅ２  切欠き部                    １３      正面側下カバー
１３ｂ    挿入軸                      １３ｃ    ねじ穴ボス
１３ｄ    ガイド板                    １３ｅ    底板
１３ｅ１  切欠き部                    １３ｅ２  切欠き部
１４      背面側下カバー              １４ｂ    軸受部
１４ｃ    深ザグリ部                  １４ｄ    ガイド板
１４ｅ    底板                        １４ｅ１  切欠き部
１４ｅ２  切欠き部                    １５      穴部
１６      ねじ                        １８      平坦面
２０      パズル軸移動部材            ２１      移動部材本体
２１ａ    左把持部                    ２１ａ    把持部
２１ａ１  長凹部                      ２１ａ２  指掛け凹部
２１ｂ    右把持部                    ２１ｂ    把持部
２１ｂ１  長凹部                      ２１ｂ２  指掛け凹部
２２ａ    矢印                        ２２ｂ    矢印
２３      スライド板                  ２３ａ    切欠き部
２３ｂ    係合挿入部                  ２４      支持基部
３０      駒体                        ３０ａ    駒本体
３０ａ１  パズル図柄面                ３０ａ２  パズル図柄
３０ｂ    板部                        ３０ｃ    軸受部
３０ｄ    爪支持部                    ３０ｄ１  弾性部
３０ｄ２  接続部                      ３０ｄ３  ラチェット爪
４０      パズル軸                    ４１      軸部材
４１ａ    左軸                        ４１ａ１  ラチェット歯
４１ａ２  固定部                      ４１ｂ    軸スライド板部
４１ｂ１  平板部                      ４１ｂ２  係合穴部
４１ｂ３  穴                          ４２      軸部材
４２ａ    右軸                        ４２ａ１  ラチェット歯
４２ｂ１  平板部                      ４２ｂ２  係合穴部
４３      軸部材                      ４３ａ    中央軸
４３ａ１  ラチェット歯                ４３ｂ    軸固定部
４４      軸支持部材                  ４４ａ    ボス
４４ａ１  固定穴                      ４４ｂ１  平板部
４４ｂ２  係合穴部                    ４４ｂ３  穴
４５      軸支持部材                  ４５ｂ１  平板部
４５ｂ２  係合穴部                    ４６      軸支持部材
４６ｂ    固定部                      ７０      ラチェット機構
【図１】
2018153568.tif 000003
【図２】
2018153568.tif 000004
【図３】
2018153568.tif 000005
【図４】
2018153568.tif 000006
【図５】
2018153568.tif 000007
【図６】
2018153568.tif 000008
【図７】
2018153568.tif 000009
【図８】
2018153568.tif 000010